(57)【要約】【課題】本発明は、電話機の正面から透明樹脂で成形された加飾用カバーの取り付け部分を視認できないようにし、デザイン的な違和感を生じさせない電話機の加飾用カバーおよびこれを備えた電話機を提供することを目的とする。【解決手段】加飾用カバー３は、受話器を補助的に支持するため、受話器の背面形状に対応した形状を有する枠体３ａと、保持凹部２の開口部の縁に形成された溝部１ｂに嵌め込まれる差し込み部３ｃと、筐体１に差し込んで係止するための爪部３ｂと、内部に雌ねじを形成した円柱状のボス４とを有している。枠体３ａの下面側には、溝部１ｂと対応する位置に差し込み部３ｃが形成され、さらに、この差し込み部３ｃに爪部３ｂが連接して形成されている。また、ボス４は、枠体３ａの裏面から突出した状態で連接する接続片５を介して枠体３ａに設けられている。【選択図】図３
2006128849.tif 000002
【特許請求の範囲】
【請求項１】
透明樹脂により成形され、電話機の筐体表面に取り付けられる電話機の加飾用カバーであって、
裏面に電話機の筐体に取り付けるためのボスを有し、
このボスは、前記裏面に形成された接続片を介することにより前記裏面と離して設けられたことを特徴とする加飾用カバー。
【請求項２】
前記ボスは、前記透明樹脂の透明度に対応して正面から前記ボスが視認されない位置に設けられたことを特徴とする請求項１記載の加飾用カバー。
【請求項３】
前記加飾用カバーと前記ボスとの間に、前記接続片から突出させた中間壁が設けられたことを特徴とする請求項１または２に記載の加飾用カバー。
【請求項４】
透明樹脂により成形される加飾用カバーを筐体表面に備えた電話機であって、
前記加飾用カバーは、前記筐体に取り付けるためのボスを有し、
このボスは、前記加飾用カバーの裏面に形成された接続片を介することにより前記加飾用カバーと離して設けられたことを特徴とする電話機。
【請求項５】
前記ボスは、前記透明樹脂の透明度に対応して前記加飾用カバーの正面から前記ボスが視認されない位置に設けられたことを特徴とする請求項４記載の電話機。
【請求項６】
前記加飾用カバーと前記ボスとの間に、前記接続片から突出させた中間壁が設けられたことを特徴とする請求項４または５に記載の電話機。
【発明の詳細な説明】
【技術分野】
【０００１】
本発明は、電話機の表面に取り付けて加飾する電話機の加飾用カバーおよびこれを備えた電話機に関するものである。
【背景技術】
【０００２】
近年の電化製品においては、消費者のデザイン的な嗜好により電気機器の筐体やその表面を透明樹脂で形成したものが販売されている。例えば、特許文献１には透明樹脂で成形したカバーが取り付けられた遊技装置が掲載されている。
【０００３】
ところで、上述したような透明樹脂で成形された加飾用カバーを持つ電話機が従来から知られている。この従来の電話機を図５、図６に示す。図５は従来の電話機の正面図であり、図６は図５のＢ−Ｂ線断面図である。図５に示すように、電話機は、筐体２１の表面に受話器を保持する保持凹部２２が形成され、この保持凹部２２の開口部の縁に加飾用カバー２３が取り付けられている。この加飾用カバー２３は、受話器を補助的に保持するため電話機の形状に合わせた形状をなしている。図６に示すように、加飾用カバー２３はその裏面にボス２４を有している。このボス２４を筐体２１の凹部２１ａに差し込み、筐体２１内部からネジ２６により螺合させることで、加飾用カバー２３を筐体２１に固定している。このように透明樹脂で成形された加飾用カバー２３を筐体２１に取り付けることで、消費者のデザイン的な欲求を満たす電話機とすることができる。
【特許文献１】特開平７−３１５１４０号公報
【発明の開示】
【発明が解決しようとする課題】
【０００４】
しかしながら、このような従来の電話機を正面方向（図６中の矢印方向）から見ると、透明樹脂で成形された加飾用カバー２３から取り付け部分であるボス２４やネジ２６が透けて見えてしまい、使用者にデザイン的な違和感を与えてしまうという問題があった。
【０００５】
そこで、本発明は、上記の点に鑑みて、透明樹脂により成形された加飾用カバーの正面からその取り付け部分を視認できないようにし、デザイン的な違和感を生じさせない電話機の加飾用カバーおよびこれを用いた電話機を提供することを目的とする。
【課題を解決するための手段】
【０００６】
本発明の加飾用カバーは、透明樹脂により成形され、電話機の筐体表面に取り付けられる電話機の加飾用カバーであって、裏面に電話機の筐体に取り付けるためのボスを有し、このボスは、前記裏面に形成された接続片を介することにより前記裏面と離して設けられたことを特徴とする。
【発明の効果】
【０００７】
本発明の加飾用カバーによれば、ボスは裏面に形成された接続片を介して、裏面から離して設けられるので、電話機を正面から見ても取り付け部分となるボスは視認されず、デザイン的な違和感を生じることがない加飾用カバーとすることができる。
【発明を実施するための最良の形態】
【０００８】
本願の第１の発明は、透明樹脂により成形され、電話機の筐体表面に取り付けられる電話機の加飾用カバーであって、裏面に電話機の筐体に取り付けるためのボスを有し、このボスは、裏面に形成された接続片を介することにより裏面と離して設けられたことを特徴とする。
【０００９】
ボスは、加飾用カバーの裏面に形成された接続片を介することにより、加飾用カバーの裏面から離して設けられるので、加飾用カバーとボスとの間に空間ができる。この空間に存在する空気層と透明樹脂の屈折率の違いにより、界面において光が屈折・反射されるので、電話機を正面から見ても取り付け部分となるボスは視認されない。従って、デザイン的な違和感を生じることがない加飾用カバーおよびこれを備えた電話機とすることができる。
【００１０】
本願の第２の発明は、第１の発明において、ボスは、透明樹脂の透明度に対応して正面からボスが視認されない位置に設けられたことを特徴とする。
【００１１】
本発明の加飾用カバーは、ＡＢＳ（アクリロニトリルブタジエンスチレン；acrylonitrile butadiene styrene）樹脂やエポキシ樹脂、ＰＣ（ポリカーボネイト；polycarbonate）やメタクリル樹脂などの透明度の高い樹脂により成形される。これらの透明樹脂はその配合や加色などによりその透明度は様々に変化する。そこで、加飾用カバーの裏面に形成された接続片を介することにより、樹脂の透明度に対応して電話機の正面からボスが視認されない位置にボスを設けたことにより、樹脂の透明度に関わらず、電話機を正面から見ても取り付け部分となるボスは視認されなくなる。従って、デザイン的な違和感を生じることがない加飾用カバーとすることができる。
【００１２】
本願の第３の発明は、第１および第２の発明において、加飾用カバーとボスとの間に、接続片から突出させた中間壁が設けられたことを特徴とする。
【００１３】
加飾用カバーとボスとの間に接続片から突出させた中間壁が設けられたことにより、中間壁がボスの上面に位置するので、電話機を正面から見た際、取り付け部分となるボスを隠すことができ、取り付け部分が確実に視認されない加飾用カバーとすることができる。
【００１４】
本願の第４の発明は、透明樹脂により成形される加飾用カバーを筐体表面に備えた電話機であって、加飾用カバーは、筐体に取り付けるためのボスを有し、このボスは、加飾用カバーの裏面に形成された接続片を介することにより加飾用カバーと離して設けられたことを特徴とする。
【００１５】
この構成により、電話機を正面から見ても取り付け部分となるボスは視認されないので、デザイン的な違和感を生じることがない加飾用カバーを備えた電話機とすることができる。
【００１６】
本願の第５の発明は、第４の発明において、ボスは、透明樹脂の透明度に対応して加飾用カバーの正面からボスが視認されない位置に設けられたことを特徴とする。
【００１７】
この構成により、樹脂の透明度に関わらず、電話機を正面から見ても取り付け部分となるボスは視認されなくなるので、デザイン的な違和感を生じることがない加飾用カバーを備えた電話機とすることができる。
【００１８】
本願の第６の発明は、第４および第５の発明において、加飾用カバーとボスとの間に、接続片から突出させた中間壁が設けられたことを特徴とする。
【００１９】
この構成により、電話機を正面から見た際、取り付け部分となるボスを隠すことができ、取り付け部分が確実に視認されない加飾用カバーを用いた電話機とすることができる。
【００２０】
（実施の形態）
図１は本発明の実施の形態に係る電話機の斜視図である。図２は加飾用カバーの斜視図であり、（ａ）は上面側（ｂ）は下面側である。図３は図１のＡ−Ａ線断面図である。
【００２１】
図１に示すように、本実施の形態の電話機１０は、電子基板回路を内部に備える筐体１と、この筐体１の表面に電話機を保持するための保持凹部２を形成している。保持凹部２はその前面がすべて開口しており、この開口部の縁には透明樹脂で成形された加飾用カバー３が取り付けられている。
【００２２】
図２〜図３に示すように、加飾用カバー３は、受話器（図示しない）を補助的に支持するため、受話器の背面形状に対応した形状を有する枠体３ａと、保持凹部２の開口部の縁に形成された溝部１ｂに嵌め込まれる差し込み部３ｃと、筐体１に差し込んで係止するための爪部３ｂと、内部に雌ねじを形成した円柱状のボス４とを有している。
【００２３】
図２（ａ）中のＰ部に示すように、枠体３ａの上部には、受話器の上部を支持するための凹部が設けられている。枠体３ａの下面側には、溝部１ｂと対応する位置に差し込み部３ｃが形成され、さらに、この差し込み部３ｃに爪部３ｂが連接して形成されている。また、図３に示すように、ボス４は、枠体３ａの裏面から突出した状態で連接する接続片５を介して枠体３ａに設けられている。
【００２４】
次に、加飾用カバー３を筐体１に取り付ける方法について説明する。
【００２５】
まず、加飾用カバー３の爪部３ｂを筐体１に設けられた係止部（図示しない）に差し込みながら、枠体３ａの差し込み部３ｃを溝部１ｂに押し込む。すると、爪部３ｂと係止部、および差し込み部３ｃと溝部１ｂが互いに嵌合する。これと同時に、ボス４は筐体１に設けられた凹部１ａに受け入れられるので、筐体１の内部からネジ６を螺合して結合させる。このようにして、爪部３ｂとボス４のネジ結合により、加飾用カバー３と筐体１とは確実に固定されるので、電話機１０を落としたり、受話器を電話機から多少乱暴に取り外したりしても加飾用カバー３は筐体１から外れることはない。
【００２６】
以上のようにして取り付けた加飾用カバー３と筐体１の取り付け部分の様子について図３を用いて説明する。上述したように、接続片４を介してボス４を枠体３ａに設けたことにより、枠体３ａとボス４との間には空間（図３中のＱ）ができ、この空間に存在する空気層によって、光が乱反射される。従って、加飾用カバー３を電話機１０の正面から見ても、ボス４やネジ６などの取り付け部分が視認されることはない。
【００２７】
なお、加飾用カバー３の透明度は、成形に用いた透明樹脂の種類および加色の色や程度などによって異なる。そこで、枠体３ａとボス４とを接続する接続片５の長さ（図３中のＱ）を調整して、電話機１０の正面からボス４が視認されない位置にボス４を設けることによって、樹脂の透明度に関わらず、ボス４やネジ６が視認されない加飾用カバー３とすることができ、電話機１０を正面から見てもデザイン的な違和感が生じない加飾用カバー３とこれを用いた電話機１０とすることができる。
【００２８】
なお、他の実施の形態として、図４に示すように、枠体３ａとボス４との間でボス４が設けられた側に接続片５から突出させた中間壁７を設けてもよい。中間壁７はボス４の上面を覆うように設けられている。これにより、加飾用カバー３を電話機１０の正面から見た場合、中間壁７がボス４やネジ６を隠すので、取り付け部分が確実に視認されない加飾用カバー３とこれを用いた電話機１０とすることができる。
【産業上の利用可能性】
【００２９】
本発明は、電話機の正面から透明樹脂で成形された加飾用カバーの取り付け部分を見え
ないようにすることによってデザイン的な違和感を生じさせないので、電話機の加飾用カバーとして、また、消費者のデザイン的な嗜好を満たす電話機として有用である。
【図面の簡単な説明】
【００３０】
【図１】本発明の実施の形態に係る電話機の斜視図
【図２】（ａ）同電話機の加飾用カバーの上面を表した斜視図、（ｂ）同加飾用カバーの下面を表した斜視図
【図３】図１のＡ−Ａ線断面図
【図４】他の実施の形態における加飾用カバーの取り付け部分拡大図
【図５】従来の電話機の正面図
【図６】図５のＢ−Ｂ線断面図
【符号の説明】
【００３１】
１    筐体
１ａ    凹部
１ｂ    溝部
２    保持凹部
３    加飾用カバー
３ａ    枠体
３ｂ    爪部
３ｃ    差し込み部
４    ボス
５    接続片
６    ネジ
７    中間壁
１０    電話機
【図１】
2006128849.tif 000003
【図２】
2006128849.tif 000004
【図３】
2006128849.tif 000005
【図４】
2006128849.tif 000006
【図５】
2006128849.tif 000007
【図６】
2006128849.tif 000008